(57)【要約】  １／４回転ファスナを含むファスナ、ファスナ構成要素およびファスナ・レセプタクルは、非金属材料と、１つ又は複数のファスナ係合構造体とを有するレセプタクル本体を使用し得る。ファスナ係合構造体は共に、本体内に非円形通路を画定する。ファスナ係合構造体の下には、１つ又は複数の支持構造体が、ファスナ係合構造体の下側を支持するために、対応するファスナ係合構造体の下で内側に延びる。支持構造体は、本体の軸に対して、凹形状を有することができる。また、支持構造体は、対応するファスナ係合構造体と同一の広がりをもつことができる。
2010534586.tif 000002
【特許請求の範囲】
【請求項１】
ファスナのためのレセプタクルであって、
軸及び内壁を有する非金属材料製の実質的に円筒形の本体と、
前記本体の第１の端部において前記軸上に第１の開口部を画定する第１の壁と、
前記本体の第２の端部において前記軸上に第２の開口部を画定する第２の壁と、
前記第１及び第２の開口部の間に非円形通路を画定し且つ前記軸に対して実質的に対称である第３の壁と、
前記本体の内部から内側へ延びるボスであって、少なくとも部分的に第２の開口部に面し且つ前記軸に対して角度を成して第１の角距離を延びる座面を有する湾曲する座部を有し、前記ボスは、前記第１の開口部に面している下面と、少なくとも部分的に前記第１の開口部の方に向いているカム面構造体とを含み、前記カム面構造体は、第１及び第２の構成要素を有し、前記第１の構成要素は前記第１の開口部に面し、前記第２の構成要素は、前記ボスの向かい側の前記本体の内壁の一部に面している、ボスと、
前記下側ボス面に隣接し且つ前記カム面構造体内にあり、前記下側ボス面と前記カム面構造体との間に延び、更に前記第１の角距離と少なくとも同じ程度まで前記軸に対して角度を成して延びる内部構造体と、
前記レセプタクルを面にしっかりと固定するための手段と
を備えるレセプタクル。
【請求項２】
前記本体はプラスチックから形成される、請求項１のレセプタクル。
【請求項３】
前記本体は熱可塑性非晶質ポリマーから形成される、請求項１のレセプタクル。
【請求項４】
前記本体はポリアミドイミド又は他の高性能工学ポリマーから形成される、請求項１のレセプタクル。
【請求項５】
前記本体は実質的に正確な円形である外壁を含む、請求項１のレセプタクル。
【請求項６】
前記本体は、実質的に円形の内壁面を有する前記ボスと第２の開口部との間に延びる壁を含む、請求項１のレセプタクル。
【請求項７】
前記第１の開口部は実質的に円形の内部を有する、請求項１のレセプタクル。
【請求項８】
前記第１の開口部は、前記固定手段から前記本体の第１の端部へ移行する湾曲入口面を有する、請求項１のレセプタクル。
【請求項９】
前記カム面構造体は、隣接する前記第１の端部から前記ボスへ延びる傾斜面を含む、請求項１のレセプタクル。
【請求項１０】
前記カム面構造体は前記ボスへの第２の傾斜面を含む、請求項９のレセプタクル。
【請求項１１】
前記傾斜面は第１の傾斜面であり、前記第１及び第２の傾斜面は前記ボスの両側へ延びる、請求項１０に記載のレセプタクル。
【請求項１２】
前記傾斜面は第１の傾斜面であり、前記第１及び第２の傾斜面は実質的にＶ字形に延びる、請求項１０のレセプタクル。
【請求項１３】
前記傾斜面は第１の傾斜面であり、前記第１及び第２の傾斜面は互いに鏡像である、請求項１０のレセプタクル。
【請求項１４】
前記傾斜面は前記本体の内壁から外側へ第１の距離を延び、前記ボスは前記本体の内壁から外側へ第１の距離より大きい第２の距離を延びる、請求項９のレセプタクル。
【請求項１５】
前記ボスは前記通路の第３の壁の一部まで第２の距離を延びる、請求項１４のレセプタクル。
【請求項１６】
前記内部構造体は前記本体と同じ材料から形成される、請求項１のレセプタクル。
【請求項１７】
前記内部構造体は、前記通路の一方の側から前記通路の他方の側まで実質的に前記ボスの全体に沿って角度を成して延びる、請求項１のレセプタクル。
【請求項１８】
前記内部構造体は凹面を有する断面を有する、請求項１のレセプタクル。
【請求項１９】
前記ボス及び前記カム面構造体は剪断支持を提供し、前記内部構造体は剪断支持を増大させる、請求項１のレセプタクル。
【請求項２０】
前記内部構造体は、前記湾曲座部の少なくとも一部の下で剪断支持を約２倍にする、請求項１９のレセプタクル。
【請求項２１】
前記通路は、前記軸に関して対称である直径方向のスロットと、前記軸を中心とする円形開口部とを含む、請求項１のレセプタクル。
【請求項２２】
前記湾曲座部は、前記直径方向のスロットに垂直でない第２の直径上にある、請求項２１のレセプタクル。
【請求項２３】
前記直径方向のスロットは、前記内壁の直径と等しい直径を有し、前記湾曲座部の長さ及び前記円形開口部の半径は前記内壁の半径と実質的に等しい、請求項２２のレセプタクル。
【請求項２４】
前記第１及び第２のカム構成要素は縁で接触し、前記縁は前記湾曲座部と軸方向に実質的に位置合わせされる、請求項２２のレセプタクル。
【請求項２５】
前記レセプタクルは金属から形成される、請求項２４のレセプタクル。
【請求項２６】
前記レセプタクルはプラスチックから形成される、請求項２４のレセプタクル。
【請求項２７】
前記第１及び第２のカム構成要素は縁で接触し、前記縁は前記湾曲座部から軸方向にずらされている、請求項２２のレセプタクル。
【請求項２８】
前記レセプタクルはプラスチックから形成される、請求項２７のレセプタクル。
【請求項２９】
前記ボスは前記湾曲座部に隣接する停止面を含む、請求項１のレセプタクル。
【請求項３０】
前記ボスの上に前記湾曲座部に隣接して前記停止面の反対側に形成された傾斜面を更に含む、請求項２９のレセプタクル。
【請求項３１】
前記ボスは前記傾斜面、前記湾曲座部、及び前記停止面から形成され、前記傾斜面は、前記非円形通路の一方の側から実質的に前記湾曲座部まで延び、前記停止面は、前記湾曲座部から前記非円形通路で他方の側まで延びる、請求項３０のレセプタクル。
【請求項３２】
前記ボスは第１のボスであって、前記第１のボスの反対側に第２のボスを更に含み、前記第２のボスは、傾斜面、湾曲する座部、及び停止面を含む、請求項３１のレセプタクル。
【請求項３３】
前記第１及び第２のボスと第２の開口部との間に実質的に円筒形の壁を更に含む、請求項３２のレセプタクル。
【請求項３４】
前記固定手段は取り付けフランジを含む、請求項１のレセプタクル。
【請求項３５】
前記取り付けフランジは第１の開口部の両側から延びる、請求項３４のレセプタクル。
【請求項３６】
前記取り付けフランジは前記フランジを面に取り付けるための手段を含む、請求項３５のレセプタクル。
【請求項３７】
前記取り付けるための手段はファスナ開口を含む、請求項３６のレセプタクル。
【請求項３８】
前記取り付けるための手段は接着剤を含む、請求項３７のレセプタクル。
【請求項３９】
前記本体と前記固定手段との間に延びる支持壁を含む、請求項１のレセプタクル。
【請求項４０】
ファスナのためのレセプタクルであって、
支持面上にレセプタクルを取り付けるためのベース部材と、
軸、及び第１の開口部を画定する第１の壁と第２の開口部を画定する第２の壁との間に延びる内壁を有する非金属製の本体と、
前記内壁から内側に延び、且つファスナ構成要素を受け入れるために内側へ延びる上面を有し、前記上面は前記第１の開口部の方への前記ファスナ構成要素の移動を制限するように構成され、前記上面は前記第１の開口部と前記第２の開口部との間の第１の軸方向位置に第１の角位置を有する第１の壁と、
前記第１の壁と前記第１の開口部との間に配置され且つ前記第１の壁を支持する補強部であって、前記補強部は前記第１の壁の下で前記内壁から内側へ延び、前記補強部は前記第２の開口部に向かう方向に前記内壁から離れて内側に延びる内壁を含む、補強部と、
少なくとも、前記内壁から内側に延び且つ前記第１の開口部から前記第２の開口部に向かう方向に延びる第１のカム面、及び隣接する前記第１のカム面から前記第１の壁の上面に向かって延びる第２のカム面と、
【請求項４１】
前記第２の開口部を覆うキャップを更に含む、請求項４０のレセプタクル。
【請求項４２】
前記キャップは前記第２の開口部の外壁上に嵌まる、請求項４１のレセプタクル。
【請求項４３】
前記キャップは前記第２の開口部の内壁内に嵌まる、請求項４１のレセプタクル。
【請求項４４】
前記第１の壁は前記本体の内壁から片持ちにされている、請求項４０のレセプタクル。
【請求項４５】
前記本体の外面上に補強壁を更に含む、請求項４０のレセプタクル。
【請求項４６】
内壁から内側に延び、接合位置で前記第１のカム面と交わり、且つ前記第１のカム面から離れて前記第１の開口部から前記第２の開口部に向かう方向に延びる第３のカム面を更に含み、前記接合位置は、実質的に前記第１の壁の上面と軸方向に位置合わせされる、請求項４０のレセプタクル。
【請求項４７】
前記内壁から内側に延び、接合位置で前記第１のカム面と交わり、且つ前記第１のカム面から離れて第１の開口部から前記第２の開口部に向かう方向に延びる第３のカム面を更に含み、前記接合位置は、前記第１の壁の上面から軸方向にずらされている、請求項４０のレセプタクル。
【請求項４８】
前記補強部は垂直の支持を提供する、請求項４０のレセプタクル。
【請求項４９】
前記補強部は、部分的に前記第１の開口部に面する湾曲面を含む、請求項４８のレセプタクル。
【請求項５０】
前記ベース部材は開口部を画定する少なくとも一つの壁を含み、前記開口部内に補強要素を更に含む、請求項４０のレセプタクル。
【請求項５１】
前記レセプタクル内に延び、且つ前記第１の壁の上面と係合するクロスピンを有するファスナ組立体を更に含む、請求項４０のレセプタクル。
【請求項５２】
前記ファスナ組立体はばね付勢を含む、請求項５１のレセプタクル。
【請求項５３】
ファスナのためのレセプタクルであって、
取り付け要素と、
前記取り付け要素上の円筒形の非金属製の本体であって、第１の円形開口部を画定する第１の壁、第２の円形開口部を画定する第２の壁、及び前記第１及び第２の開口部の間に延びる内壁を有する本体と、
前記内壁の各部から互いに向かって延びる第１及び第２の片持ち部材であって、前記第１及び第２の片持ち部材の各々は前記第２の開口部に面するそれぞれの支持面を含む、第１及び第２の片持ち部材と、
それぞれ前記第１及び第２の片持ち要素の下にある第１及び第２のカム構造体部材であって、前記第１の第１のカム構造体は前記内壁によって支持され、前記第２のカム構造体は前記内壁によって支持され、前記第１及び第２のカム構造体の各々は、接合位置で接合され且つ前記第２の開口部に向かって延びるそれぞれの第１及び第２のカム面を含む、第１及び第２のカム構造体部材と、
前記第１及び第２の片持ち部材のそれぞれ１つの上にある第１及び第２の補強構造体であって、それぞれの前記第１及び第２の片持ち要素を支持するように、前記第１及び第２のカム構造体のそれぞれ１つと接する第１及び第２の補強構造体と
を備えるレセプタクル。
【請求項５４】
前記レセプタクルはモノリシックのレセプタクルである、請求項５３のレセプタクル。
【請求項５５】
前記レセプタクルは工業用プラスチックから形成される、請求項５４のレセプタクル。
【請求項５６】
前記レセプタクルはポリアミドイミドから形成される、請求項５４のレセプタクル。
【請求項５７】
ファスナシャンク及びクロスピンを有するばね付勢ファスナ組立体を更に含み、前記第１及び第２の片持ち要素の支持面によりクロスピンが支持される、請求項５３のレセプタクル。
【発明の詳細な説明】
【技術分野】
【０００１】
本発明は、互いに固定されるパネル、カバー及び他の部材のための１／４回転ファスナを含むファスナ、ファスナ構成要素、及びファスナ・レセプタクルに関する。
【背景技術】
【０００２】
ファスナの多くのタイプは、通常の使用中に大きな応力及び負荷を受ける。通常の使用には、長時間にわたる高い負荷及び大きな振動が含まれることがある。航空機等の重要な用途では、ファスナは、固定を損なわずに、他の用途よりも著しく長く負荷及び振動に耐えるように評定される場合がある。
【０００３】
航空機の用途では、ファスナのタイプ及び数は、最終的な組立体に大きな重量を加える。例えば、パネルファスナは多数の部品を有し、部品の大部分又は全てが金属製である。強度、耐腐食性及び他の要因で金属が使用される。しかしながら、金属部品は、最終的な組立体にかなりの重量を加える。所定の部品の重量を低減できれば、個々の部品の数により、個々の部品でのわずかな重量の低減さえ、結果的に全体として大きな重量の低減につながる。また、依然として腐食したり、周辺材料と相性が悪い金属材料もある。
【発明の概要】
【発明が解決しようとする課題】
【０００４】
大幅な軽量化をもたらし得るファスナを含む、改良された信頼性のあるファスナを提供するために、複数の方法及び装置を用いることができる。これらの方法及び装置はまた、腐食、材料の不適合、及び他の影響に対して耐性がある部品を製造すると同時に、１／４回転パネルファスナのようなファスナの、できる限り低コストでの容易な製造を可能することができる。
【課題を解決するための手段】
【０００５】
ファスナの一実施例において、スタッド組立体及びレセプタクル組立体を組み込んだ組立体が、内壁を有し且つ軸に沿って延びる非金属材料製の本体を含み得る。レセプタクルは、第１の開口部及び第２の開口部を含み、開口部間に非円形通路を有する。１つの構成では、非円形通路は軸に対して対称である。本体の内部から内側へボスが延び、スタッド組立体の一部分にある相補的な面と係合するための湾曲した座部又は凹部を有する。湾曲面は、少なくとも部分的に第２の開口部に面し、軸の周りに角度を成して第１の角距離延在する。ボスは、下面と、少なくとも部分的に第１の開口部に面しているカム面構造体とを含む。一実施例において、カム面は本体の内部に沿って部分的に螺旋形の経路をたどることができ、他の実施例において、カム面は、例えば変化するか又は様々な曲率を有する、一様でない経路をたどることができる。カム面構造体は、第１の開口部に面している部分と、カム面構造体の向かい側の本体の内壁に面している他の部分とを有する。例えば、ボスの下面とカム面構造体の間に湾曲する移行部があるように、ボスの下面とカム面構造体との間に内部構造体が延在する。他の実施例では、ボスとカム面構造体との間の内部構造体は、直角以外で接触するボスとカム面構造体との間の接合部の大部分を有する。
【０００６】
ファスナの組合せ体に関する他の実施例において、組合せ体は、第１及び第２の逆向きの開口部を有する、非金属材料製のファスナ・レセプタクルを含む。本体内部の少なくとも一部が、第１及び第２の開口部の間に非円形通路を共に画定する１つ又は複数の構造体を含む。１つの構成では、非円形通路は本体の軸に対して対称である。非円形通路を画定する構造体は、ファスナ要素又はスタッド組立体のスタッドを保持するための保持構造体を含む。保持構造体の下には、本体内部の壁上にあるカム面構造体が、保持構造体まで上方へ延びる。１つ又は複数の支持構造体が、カム面構造体と対応する保持構造体の下側との間の接合部から内側へ、保持構造体の下側を支持するために延びる。１つの支持構造体、複数ある場合は必要に応じていくつかの支持構造体か又は全ての支持構造体が、本体の軸に対して凹形状を有することができる。また、支持構造体は、対応する保持構造体と同一の広がりをもつことも、対応する保持構造体より広範囲でないことも、対応する保持構造体より広範囲であることもできる。さらにまた、支持構造体は対応する保持構造体の下で連続的であることができ、或いは、支持構造体は、寸法が均一であろうと不均一であろうと、断続的に間隔を空けて配置されることができる。一実施例において、レセプタクルは、２つの保持構造体を有するが、１つの保持構造体又は複数の保持構造体を有することができる。各保持構造体は、上記のように、対応する支持構造体を有することができる。
【０００７】
ファスナ要素に関する他の実施例において、ファスナ組立体用のレセプタクルは、第１の開口部と第２の開口部との間に中央軸線に沿って延びる非金属製の本体を有する。本体は、円筒形か、正方形か、矩形か、ピラミッド形か、或いは他の外部形状であることができる。本体はまた、内側を含む。第１及び第２の支持構造体は、本体の内側の両側から中央軸線に向かって延び、第１及び第２の開口部の間の軸上に非円形開口部を画定する。第１の支持構造体は、接合部において本体の内壁と接合し、接合部の少なくとも一部がアーチ形の断面を有する。接合部の少なくとも一部は、中央軸線の視点から見て、部分的に凹形である。更なる実施例において、第２の支持構造体はまた、接合部において非金属製本体の内壁と接合し、接合部の少なくとも一部がアーチ形の断面を有する。第２の支持構造体のための接合部の少なくとも一部は、中央軸線の視点から見て、部分的に凹形である。更なる実施例において、第１及び第２の支持構造体は、ファスナ本体上の相補的な構成要素を受け入れるためのそれぞれの保持溝で終端するそれぞれのカム面を含む。相補的な構成要素は、ファスナスタッド上のクロスピンでもよいし、或いはレセプタクル内の保持面に相補的な他の構成を有してもよい。
【０００８】
ファスナ要素の更なる実施例において、ファスナ組立体のレセプタクルが、第１の開口部と第２の開口部との間に中央軸線に沿って延びる非金属製の円筒形の（又は他の外部形状の）本体を有する。１つ又は複数の支持構造体が、第１及び第２の開口部の間に非円形開口部を画定する中央軸線（例えば本体の内部形状に対して中央）に向かって、本体の内部の側面から延びる。一実施例において、非金属製キャップが、第２の開口部を覆って配置され得る。キャップは、取り外し可能であることができる。キャップは円筒形本体の外側部分と係合するように構成されることができ、或いはキャップは円筒形本体の内側部分と係合するように構成されることができる。他の実施例において、レセプタクルは、レセプタクルを支持面に取り付けるための取り付け面を含むことができる。一実施例では、取り付け面は円筒形本体に対して垂直なフランジでもよく、他の実施例では、取り付け面は取り付け面を支持面に固定するためのファスナを受け入れるための１つ又は複数の開口部を含んでもよい。取り付け面内にある開口部はまた、取り付け面をその支持面に接着するための接着剤か又は他の混合物と共に使用されることができる。開口部はまた、本体を支持面上で所定の位置に保持するために硬化し且つ接着又は係合領域を形成するために、開口部内に流動性材料を受け入れることができる。他の実施例では、ファスナ組立体は、ファスナスタッド部材の横の移動を制限するか、抑制するか、又は禁止しながら、実質的に軸方向及び回転の移動のみを容認するように構成される。
【０００９】
他の実施例において、ファスナ組立体は、スタッドとレセプタクルとを含む。スタッドは、シャフト及びレセプタクルの一部と係合するための係合部、例えばクロスピンを含む。レセプタクル係合部は、スタッドの係合部を受け入れるための座部を含む。スタッド係合部がクロスピンである場合、座部はレセプタクル内の溝又は部分的に円形のチャネルでもよい。レセプタクル係合部はレセプタクルの面内の凹部であることができ、凹部はスタッド係合部に相補的な形状か又は別の形状を有する。レセプタクルはレセプタクル係合部のための内部支持体を有する非金属製本体を含み、内部支持体はレセプタクル係合部の反対側にある支持体の側面に補強部分を有する。補強部は、レセプタクルの軸方向と（レセプタクルの軸に垂直な）レセプタクルの横方向の両方以外に延びる１つ又は複数の面を含むことができる。一実施例では、補強部はレセプタクル軸に対して凹形であり、他の実施例では、補強部は部分的に円形の断面を有する。他の実施例では、補強部は、スタッド組立体の一部に相補的な、軸に面する形状を有する。例えば、スタッド組立体は、付勢要素のためのカップ又はハウジングを含むことができ、補強部の形状はカップの付近の形状を補完することができる。補強部に隣接するカップの形状が９０度の角を有する場合、補強部もまた９０度の断面を有することができ、補強部に隣接するカップの形状が湾曲する場合、補強部もまた湾曲することができる。補強部に隣接するカップの形状が一定の曲率半径を有する場合、補強部の曲率もまた一定の半径を有することができる。
【００１０】
更なる実施例において、レセプタクルの形のファスナ要素は、第１及び第２の開口部の間に軸に沿って延びる非金属製の本体を有することができ、第１の開口部に隣接して取り付け要素を含む。取り付け要素は、レセプタクルを支持面に固定するための取り付けファスナ又は他の固定具を受け入れるための開口部を含んでもよい。取り付け要素はまた、本体から取り付け要素まで本体の外側に延びる１つ又は複数の支持壁を含んでもよい。一実施例では、１つの支持壁が本体の両側から延び、他の実施例では、１対の支持壁が本体の両側から延びる。更なる実施例では、取り付け要素は、レセプタクルを支持面に確実に固定するのを助ける挿入部、スリーブ、小穴、又は他の要素を含むことができる。挿入部又は他の要素は、金属を含む、レセプタクルよりも固い材料から形成することができる。
【００１１】
他の実施例において、レセプタクルの形のファスナ要素は、第１及び第２の開口部の間に軸に沿って延びる非金属本体を有する。複数の係合部が、本体の内壁から互いに向かって延び、第１及び第２の開口部から間隔を空けて配置される。本体は、係合部から第１の開口部まで延びる第１の壁と、係合部から第２の開口部まで延びる第２の壁を含む。第１及び第２の壁は各々、本体の所定の軸方向の位置で、壁の縁の周辺で、比較的一定の厚みを有する。しかしながら、第１及び第２の壁の厚さは、壁の１つの軸方向の位置から他の軸方向の位置まで一定であることができるが、必ずしも一定であるというわけではない。一実施例では、第２の壁は、キャップ上の相補的な部材を受け入れるための内側係合面、溝、又は他の面を含むことができる。他の実施例では、第２の壁は、キャップ上の相補的な部材を受け入れるための外側係合面、溝又は他の面を含むことができる。キャップはまた、非金属であることができ、プラスチック、ゴム、ネオプレン、又は他の適切な材料から形成されることができる。金属製のキャップもまた、受け入れられることができる。第１の及び／又は第２の壁は円筒形であることができ、それらは直円筒形であることができる。
【００１２】
他の実施例において、前述の実施例のいずれかに記載されるような構造体を有するキャップ及びレセプタクルは、単一か又は複数の構造体として成形することができ、キャップは一体ヒンジ（リビングヒンジ）、一体化された紐又は線、或いは他の結合デザインを手段としてレセプタクルに接続される。他の実施例では、キャップは、スナップオン機能、結合、圧入、又は加硫処理（硬化）を経てレセプタクルに取り付けられ得る。
【００１３】
他の実施例では、前述の実施例のいずれかに記載されるような構造体を有する保持部及びキャップは、モノリシック構造体として成形されることができ、保持部構造体が最初に成形され、キャップ構造体は２番目に成形されるか、その逆に成形される。レセプタクル及びキャップは、同一の材料又は異なる材料から作られ得る。この成形プロセスは、射出成形業界で一般に「２ショット成形（２色成形）」と称される。ロバートＡ．マロイの射出成形のためのプラスチック部品設計において定義される２ショット成形プロセスは、「本質的に、１つの部品が１つの樹脂を用いて成形され、ツールの一部分が引込み又は部品が第２のより大きいキャビティの方に向かって回転した後に第１の部品の上へ第２の樹脂が成形される、インモールド溶接又は組立プロセス」である。他の製造方法を利用することもできる。
【００１４】
これらの及び他の実施例は、図面に関連して以下により完全に説明される。図面の簡単は説明は以下のとおりである。
【図面の簡単な説明】
【００１５】
【図１】２つのパネルを一緒に保持する１／４回転ファスナ組立体の形のファスナ組立体の上側等角図である。
【図２】図１のファスナ組立体の下側等角図である。
【図３】キャップが取り外された、図１のファスナ及びパネル組立体の上側等角図である。
【図４】図１のファスナ組立体で使用するための小穴の形の挿入部の縦断面図である。
【図５】図３に示されるファスナ組立体の上面図である。
【図６】図５の線６−６に沿ってファスナ組立体を貫通する縦断面図である。
【図７】図３のファスナ及びパネル組立体の分解等角図である。
【図８】図７に示される分解された組立体の側面図である。
【図９】２枚のパネルを互いに固定するための、ファスナ・レセプタクルに向かってのパネルファスナの移動を表す側面図である。
【図１０】キャップがレセプタクルから取り外された、図１のファスナ組立体の正面立面図である。
【図１１】図１０の組立体の縦断面図である。
【図１２】図３のファスナ組立体の側面図である。
【図１３】図１２の線１３−１３に沿ったファスナ組立体の縦断面図である。
【図１４】図１に示されるファスナ・レセプタクルの上側等角図である。
【図１５】図１４のレセプタクルの上面図である。
【図１５Ａ】線１７−１７に対して約１３５度の角度におけるファスナ・レセプタクルの断面図であり、部分的に図１７のファスナ・レセプタクルと反対方向に見える。
【図１５Ｂ】線１７−１７に対して約４３度の角度におけるファスナ・レセプタクルの断面図であり、部分的に図１７のファスナ・レセプタクルと同一方向に見える。
【図１６】図１５の線１６−１６に沿ったある角度におけるファスナ・レセプタクルの側面縦断面図である。
【図１６Ａ】図１６に示されるレセプタクルの一部の詳細図である。
【図１７】図１５の線１７−１７に沿ったある角度におけるファスナ・レセプタクルの正面縦断面図である。
【図１７Ａ】図１７に示されるレセプタクルの一部の詳細図である。
【図１８】図２１の線１８−１８に沿ったファスナ・レセプタクルの側面縦断面図である。
【図１８Ａ】図１８に示されるレセプタクルの一部の詳細図である。
【図１９】図２１の線１９−１９に沿ったファスナ・レセプタクルの正面縦断面図である。
【図１９Ａ】図１９に示されるレセプタクルの一部の詳細図である。
【図２０】図１５のレセプタクルの下面の下側等角図である。
【図２１】図１５のレセプタクルの底面図である。
【図２２】図１のレセプタクルで使用するための代替的なキャップの縦断面図である。
【図２３】他のファスナ・レセプタクルの上側等角図である。
【図２４】図２３のファスナ・レセプタクルの上面図である。
【図２５】図２４の線２５−２５で示されるある角度における図２３のレセプタクルの側面断面図である。
【図２６】図２３のレセプタクルの側面断面図である。
【図２７】図２３のレセプタクルの正面断面図である。
【図２７Ａ】図２７に示されるレセプタクルの一部の詳細図である。
【図２８】図２４の線２８−２８で示されるある角度における図２３のレセプタクルの正面断面図である。
【図２９】図２３のレセプタクルの下面の下側等角図である。
【図３０】図２３のレセプタクルの底面図である。
【図３１】図２３のレセプタクルで使用するためのキャップの側面断面図である。
【図３２】図２３のレセプタクルで使用するためのキャップの側面断面図である。
【図３３】レセプタクルの他の実施例の底面図である。
【図３４】図３３のレセプタクルの線３４−３４に沿った縦断面図である。
【図３５】１つの突出物の取り付け構造を有するレセプタクルの等角図である。
【図３６】２つの突出物の平坦コーナー取り付け構造を有するレセプタクルの等角図である。
【図３７】２つの突出物の鉛直平坦取り付け構造を有するレセプタクルの等角図である。
【図３８】２つの突出物の鉛直コーナー取り付け構造を有するレセプタクルの等角図である。
【図３９】１つの突出物の鉛直取り付け構造を有するレセプタクルの等角図である。
【発明を実施するための形態】
【００１６】
本明細書は、図面と共に用いられて、いかなる当業者も本発明を製造し使用することができるように、本発明の１つ又は複数の特徴が組み込まれた装置及び方法の実施例を説明する。実施例は本発明を実施するために考えられる最良の形態を提供する。但し、本発明の要素の範囲内で様々な修正を成し遂げることができることを理解すべきである。
【００１７】
ファスナの実施例及びファスナを製造し使用する方法の実施例を説明する。所定の構造体又は所定の方法にどのような１つの又は複数の特徴が組み込まれるかに応じて、その構造体又は方法において効果を得ることができる。例えば、非金属製のレセプタクルを使用するファスナは、重量がより軽くなることができ、従来の１／４回転ファスナより耐摩耗性、耐久性、及び抗張力などの性能特性にいくらかの改良をもたらし得る。それらはまた、例えば、より良好な耐腐食性又は材料の適合性の特徴を示すことがある。
【００１８】
これらの及び他の効果は、本明細書の実施例の説明を考慮することにより明らかになる。しかしながら、これらの実施例で意図される１つ又は複数の効果を達成するために、特定の実施例に関して述べられる効果又は特徴のすべてを、ファスナ、構成要素、又は方法に組み込まなければならないわけではないことを理解すべきである。また、他の可能な構成と比較して最適でない場合があるとしても、所定の効果をある程度達成するように、実施例の特徴をファスナ、構成要素、又は方法に組み込むことができることを理解すべきである。例えば、所定の構成に関して、コスト削減、効率を達成するために、又は特定の製品の構成又は方法に決める人に周知の他の理由で、１つ又は複数の効果が最適化されないことがある。
【００１９】
ファスナの構成、及びファスナを製作し使用する方法の多くの実施例が、本明細書に記載されており、そのいくつかは一緒に使用されることで特別な効果がある。しかしながら、現時点でこれらの装置及び方法を一緒に考慮する場合であっても、それらを組み合わせ、一緒に使用し、又はその１つの部品又は方法を他のいずれかの部品又は方法又は組合せと共に使用する必要はない。また、所定の部品又は方法を、本明細書に明白に述べていない他の構造体又は方法と組み合わせ、更に望ましい効果を達成することができることが理解されよう。
【００２０】
１／４回転ファスナは、特徴の１つ又は複数を組み込み且つ本明細書に記載されるいくつかの効果を導き出すことができるファスナの実施例として、特にパネルファスナが使用される。１／４回転ファスナ以外のファスナ及びパネル以外の構造体のためのファスナは、本発明の１つ以上から利益を得ることができる。
【００２１】
前、後、側、左右などの方向に関して使用される用語は、単に理解及び参照を容易にするためだけに本明細書で使用され、説明及び図示される構造体のための限定的な用語として使用されていないことを理解すべきである。
【００２２】
ファスナ組立体１００（図１〜９）の１つの実施例は、パネル１０２及びカバー１０４を互いに固定するために使用されることができる。パネル及びカバーは、アクセス領域を覆うカバーを有する翼部分又は機体部分などの航空機構造体の一部、或いはパネルなどの２つの要素が共に安全に運ばれる他の構造体であることができる。その他の利用もまた可能である。
【００２３】
本実施例では、ファスナ組立体は２つのサブ組立体を有し、第１のサブ組立体は更に詳細に後述する従来のスタッド組立体を有する雄型部分であると考えられる。第２のサブ組立体は、ファスナ組立体の雌型部分であって、２つのサブ組立体を共に固定するために第１のサブ組立体の一部を受け入れるためのレセプタクルを含む。しかしながら、第１のサブ組立体は従来型であると考えられ、レセプタクルを含む第２のサブ組立体と係合するのに適したあらゆる構成を取ることができる。
【００２４】
第１のサブ組立体は、カバー１０４に取り付けられたスタッド組立体１０６（図６〜９）を含む。スタッド組立体は、駆動工具を受け入れるための溝１１２又は他の適切な面を有するヘッド部１１０を介して操作されるシャンク１０８を含む。スタッドは、以下でより完全に説明される、レセプタクル１１６の一部と係合するための係合部、本実施例ではクロスピン１１４、を含む。
【００２５】
１１４２シリーズ組立体（図６参照）について
Ｂは以下のように算出される
Ｂ＝０．６３＋（０．０３０×ダッシュ番号）
Ｔ＝厚さ              ダッシュ番号＝            Ｂ＝
０．０８１〜０．１１０              ２                ０．６９
０．１１１〜０．１４０              ３                ０．７２
０．１４１〜０．１７０              ４                ０．７５
上記実施例、式及び換算表は、第１の構造体１０４の厚さ「Ｔ１」及び第２の構造体１０２の厚さ「Ｔ２」の合計である、いかなる所定の全適用厚さ「Ｔ」に対する全体的なスタッド組立体１０６の長さ「Ｂ」をも決定するように情報を提供する。クロスピン１１４を含むスタッド組立体１０６は、シャンク１０８の端部１２６からある距離を置いてクロスピンを設置し、この位置は、スタッドの長さ又は適用厚さに関係なく一定である。基本的な部品番号と相関がある所望のスタッド組立体１０６の長さＢを算出するために、そして、適用厚さＴ及び特定のダッシュ番号に対して、上記式及び表を適用することができる。この式及び表は、その対応するレセプタクル１１６の寸法と共にスタッド組立体の１つのシリーズ、型及び寸法を表す。また、現在提示される式及び表は、スタッド組立体１０６の他のシリーズ、型及び寸法、及びレセプタクル１１６の対応するシリーズ、寸法及び型によって異なることがある。このデータは、所望の使用のためのファスナ組立体１００の１つのシリーズ、寸法及び型に対する本実施例の通常の使用及び相対的な寸法に関するが、スタッド組立体１０６のデザイン又は寸法かレセプタクル１１６の適合寸法又は型に関するシリーズ、寸法、型、或いは特別な条件の範囲に制限することを意図していないので、説明の目的で提示されるだけである。ファスナ組立体１００の他のシリーズ、寸法又は型に対して他の式、寸法及び表を使用することができる。
【００２６】
スタッド組立体は、止め輪１２０と共にカバーを挟んでいるグロメット１１８によって、カバー１０４のキャビティ内に固定される。カップ１２２がグロメットにもたせかけて設置され、ばね又は他の付勢要素１２４を収納する。ばね１２４は、スタッドのヘッド及びカップ１２２の底を圧迫し、スタッドをカップの外側に付勢する。
【００２７】
図面に示される構成では、スタッド組立体１０６のシャンク１０８は、ヘッド１１０と端部１２６との間で実質的に円筒形である。端部１２６は、端部１２６の周囲にわずかな面取り部１２８を有し得る。クロスピン１１４は、シャンク１０８を中心として、シャンク１０８の両側に延びる。クロスピン１１４及びシャンク１０８は、スタッド組立体１０６の構成要素の残りのものと同様、通常は金属から形成される。また、クロスピンが容易にレセプタクルの隣接面の上をスライドすることができるように、クロスピンは実質的に比較的なめらかな面を有する直円柱である。
【００２８】
クロスピン１１４は、レセプタクル組立体内にある受容面に相補的である外側形状を有する。製造及び使用を容易にするため、レセプタクルのこれらの面と接触するクロスピン１１４の外側接触可能面は、円形断面を有する。この構成では、クロスピン１１４は通常、回転及び増加する軸方向距離の各度合いで、接線（クロスピンの面に接し、結合してクロスピンのその面に沿って隣接面２６４／２６６と接触する線を形成する複数の点から成る接線）に沿って、面２６４又は２６６と接触する。クロスピンのこれらの接触部分は、レセプタクル（更に詳細に後述する）上のこれらのカム面に沿って、容易にスライドする。クロスピン１１４は、クロスピンを受け入れるレセプタクル内の座部又は凹部を補完し得るような他の形状を有することができる。しかしながら、本実施例では、クロスピン１１４の外形は、凹部又は座部に相補的であるように凹部又は座部の形状によって決定される。
【００２９】
また、カップ１２２は通常、広がった端部１３０とカップの反対の閉じた端部１３２との間で直円筒形である。閉じた端部１３２は、円筒形のカップ本体とカップ１２２の端部１３２との間の移行部において実質的に一定の半径を有する外面を有する。ばね１２４は、ヘッド１１０の下側とカップの底との間に延びる。
【００３０】
レセプタクル１１６は、様々な外側形状を有することができる。図１〜２１に示される実施例では、レセプタクルは、パネル１０２から離れて上方へ延びる本体１３４と、レセプタクル本体１３４の少なくとも一部から外側に延びる取り付け要素１３６とを含む。本実施例では、本体の外面はその軸方向長さの大部分にわたって実質的に円筒形であり、また図１３及び１９に１３８で示されるレセプタクルの垂直部分によって定められる外側境界を有する周辺部を有すると考えられてもよい。取り付け要素は、本体の周辺部から、外側に延びる。図１３及び１９において、取り付け要素１３６は、例えば図２１に線１９−１９によって定められる線に沿って、反対方向にかなりの距離を延びる。その垂直方向において、取り付け要素１３６は、例えば図２１に線１８−１８によって定められる線に沿って、本体からより小さい距離を延びる。取り付け要素１３６は、１３４の本体からより大きいかより小さい範囲まで延びてもよく、その範囲は、レセプタクルのための取り付け面の面積の所望量、及びレセプタクルに要求され得る何らかの横の支持（あるとすれば）によって決定され得る。
【００３１】
取り付け要素１３６は、取り付けプレート、取り付けフランジ、平らな部材、タブ又はタブの組合せ、複数の翼状部、又は他の本体上の面であることができる。本実施例では、取り付け要素は、本体の両側に延びる実質的に平らなプレート部材である。取り付け要素１３６は、支持部材にプレートを取り付けるための構造体を含む。一実施例において、構造体は、それぞれの小穴１４０（図１及び４）を受け入れるための開口部を含む。小穴は、それぞれのファスナ、例えば、リベット、ねじ部品、及び同類のものを受け入れることができ、或いは、それらは、パネル１０２上にレセプタクルを保持するために、レセプタクルに対して接着剤、フィルム、二重スティックテープ又は他の感圧接着剤、又は他の結合要素を保持するのを助けるために使用されることができる、流動性を有する結合剤又は接着剤の実施例では、このような材料は開口部内に広がることができ、開口部の上縁を越えて広がることができ、取り付け要素１３６の上面の一部又は全体に広がることもできる。材料のレセプタクルの隣接面（複数の隣接面）との密着が、レセプタクルを所定の位置に保持するのを助ける。材料とレセプタクルの隣接する縁との間の係合が、レセプタクルを所定の位置に保持するのを助ける。小穴１４０（図１及び４）は、取り付けファスナによって所定の位置に保持されるときに、レセプタクルを介して経験され得る負荷力に耐えるのを助けるために、開口部内又は周辺に使用されてもよい。取り付け要素１３６の上面は実質的に平坦であるが、他の面の形状を使用することができる。接着剤、フィルム、二重スティックテープ又は他の感圧接着剤、又は他の結合要素を使用する場合、結合要素がレセプタクル上の適当な結合面によってレセプタクルを支持面に保持し、開口部を省略することもできる。
【００３２】
他の実施例では、レセプタクル取り付け要素１３６は、意図される支持面に隣接して平滑面又は非平滑面１３６Ａを組み込むことができる。非平滑面は、織り目加工されるか、粗面化されるか、ギザギザをつけられるか、磨耗させられるか、ハンマーで叩かれていることができ、１つ又は複数の突起又は凹部を含むか、或いは別の表現で記述される。この非平滑面状態は、支持面に取り付けられるときに、特にレセプタクル１１６が上記のパネル１０２の支持構造体に接着されるときに、強度特性を改良し得る。改良された強度特性は、レセプタクルの意図される支持面との取り付け方法の効果に関係する。効果は、取り付けられたレセプタクルの剥離、プッシュアウト、トルクアウト、付随する震動又は（他の物体との）衝突を含むが、これに限定されるものではない。
【００３３】
示される実施例の小穴１４０は、円筒形本体１４２と、縁又は段部１４４とを有する。円筒形本体１４２及び縁１４４は、レセプタクルを介して印加される荷重を分配して、ファスナを下にあるレセプタクル材料から切り離すのを助ける。
【００３４】
他の実施例では、開口部は取り付け要素１３６と下にあるパネルとの間から接着剤を受け入れ、レセプタクルを所定の位置に固定するのを助ける。開口部又は含まれる小穴はまた、レセプタクルを所定の位置に固定するのを助けるための他の要素を受け入れることができ、パネルにすでに固定された他の要素を含む。これらは、ダウエルピン、リベット、又はねじ、或いはそれらの組み合わせを含み得る。
【００３５】
レセプタクル１１６は、レセプタクル本体１３４と取り付け要素１３６との間に補強材を含んでもよい。一実施例において、補強材は、本体から取り付け要素（図１）まで延びる１つ又は複数の壁１４６を含む。壁１４６は、例えば取り付け要素１３６に隣接する点からレセプタクルの反対側の端部の近くのレベルまで、本体の高さの大部分と接触する。図１〜２２に示される実施例では、壁１４６は、より完全に後述するキャップ１４８のすぐ下の高さまで延びる。他の構成では、壁１４６は、より低い高さまで延びることができる。壁は、外側に延び、レセプタクル本体から離れて取り付け要素１３６で終端する。図１〜２２に示される実施例では、壁１４６は、小穴１４０への途中まで長手方向に延びる。所定の壁の水平方向の長さは、本体の所望の強度の関数として選択することができる。上部から取り付け要素への壁の降下の角度は、図１０に示されるように実質的に一直線であるが、壁面に沿って変化することができる。
【００３６】
所定の壁の厚みは、望み通りに、例えば本体の所望の強度に基づいて選択することができる。図１〜２２に示される本実施例では、壁は、小穴１４０及びリベット又はねじなどの対応するファスナを収容するための凹部１５０を残しながら、取り付け要素の一方の側から他方の側まで横方向に延びる。本実施例では、レセプタクルは、本体から各小穴に向かって延びる１つの壁を有する。他の実施例では、１つ又は複数の壁は、取り付け要素の幅より薄くなることができ、本体周辺の様々な位置に配置されることができる。例えば、１つ又は複数の壁は、レセプタクル本体がほぼ円形である場合、レセプタクル本体の弦と位置合わせされ、レセプタクル本体の半径上に延びることができ、接線又は様々な他の方向に位置合わせされる。他の実施例では、壁は、他の幾何学的形状又は非特異的であることができる。１つの構成は、中心及び小穴を通る長手方向平面と位置合わせしてレセプタクル本体の両側に配置された一対の平らな壁を有する。平らな壁は、側面図でほぼ三角形であり、キャップ１４８のすぐ下から、取り付け要素のレセプタクル本体とそれぞれの小穴との間の途中の地点まで延びる。
【００３７】
レセプタクル１１６のレセプタクル本体１３４は、パネル１０２に対して実質的に垂直な軸１５２（図６）に沿って延びる。レセプタクル本体の外側は実質的に軸に関して対称形であり、取り付け要素１３６より上の本体部品は、外側の補強は別として、実質的に円筒形である。本体は、取り付け要素１３６から離れて上部縁１５４まで上方へ延び、その形状は、本実施例では、レセプタクルと共に使用されるキャップのタイプに依存する。図１〜２２に示される実施例では、キャップ１４８は、レセプタクル本体の外面と係合する。上部縁１５４は、レセプタクル本体の周囲に延びる実質的に円形のへり１５６を含む。キャップ１４８の一部が、キャップを所定の位置に保持するために、へり１５６と係合する。
【００３８】
取り付け要素１３６と反対側のレセプタクル本体の端部は、レセプタクルの第２の開口部１６０を画定する端面１５８で終端する。取り外し可能なキャップ１４８などのキャップを使用する場合、キャップは第２の開口部１６０を覆う。
【００３９】
図１及び図１０〜１１に示されるキャップの構成では、キャップ１４８は、レセプタクル本体１３４の外部形状に適合する形状を有する。本体１６２の閉じた部分は、実質的に平坦な上部１６６とつながるように湾曲する円形縁１６４を含む。キャップ取り付け要素１６８が、本体のへり１５６と係合するために、円形縁１６４から軸方向に延びる。キャップ取り付け要素は、レセプタクル本体のへり１５６と係合するための係合要素１７０を含む。図１及び１０〜１１に示される実施例のキャップ取り付け要素１６８は、円形縁１６４の周囲に一様に分配される別個の（連続的ではない）係合アームである。係合要素は、オープンスペースによって互いから分離している。各係合要素１７０は、端面１７２、傾斜面１７４、スライド面１７６、及びへり１５６の下側面と係合するための実質的に半径方向の壁１７８を含む。複数の軸方向の壁１８０が、へり１５６の外向きの円周面と向かい合い、係合し得る。段部壁１８２が、レセプタクル本体の端面１５８と接触する連続面を形成する。段部壁１８２は、キャップ１４８がレセプタクル本体の端部上をスライドすることができる距離を制限する。
【００４０】
キャップ１４８は、例えばトーロン（ＴＯＲＬＯＮ）（登録商標）のような構造用プラスチックを含むプラスチックから形成することができ、他のポリアミドイミド、又は類似のポリマーを使用することができる。他のポリマーは、特に、べスペル（Ｖｅｓｐｅｌ）（登録商標）又はオーラム（Ａｕｒｕｍ）（登録商標）（ポリイミド（ＰＩ））、ウルテム（Ｕｌｔｅｍ）（登録商標）（ポリエーテルイミド（ＰＥＩ））、ビクトレックス（Ｖｉｃｔｒｅｘ）（登録商標）又はキータスパイア（Ｋｅｔａｓｐｉｒｅ）（登録商標）（ポリエーテルエーテルケトン（ＰＥＥＫ））、プリモスパイア（Ｐｒｉｍｏｓｐｉｒｅ）（登録商標）（自己補強性ポリフェニレン（ＳＲＰ））、ポリカーボネート、又はエポキシド又はフェノール系合成樹脂、又は軟質プラスチックを含み得る。材料はまた、複合材料であることができ、繊維強化材又は他の強化材料を含んでもよい。金属又はエラストマー又はそれらのいかなる組み合わせをも含む他の材料を使用してもよいが、プラスチックは製造が比較的容易である。また、金属フィルムを下層の非金属材料に貼り付けてもよい。
【００４１】
キャップの他の実施例において、キャップ１４８Ａ（図２２）は、実質的に平坦な上部１６６Ａとつながる円形縁１６４Ａを有する閉じた本体部１６２Ａを含む。実質的に連続するキャップ取り付け要素１８４が、円形端面１８６で終端する。傾斜面１８８が、キャップの内部に向かって内側へ軸方向面１９０まで傾斜する。軸方向面１９０は、傾斜面１８８と、へり１５６の下側と係合するための半径方向の係合壁１９２との間に延在する。軸方向壁１９４は、へり１５６の外向きの円周面と向かい合い、係合し得る。キャップ１４８Ａがレセプタクル本体の端部上へスライドすることができる距離を制限するために、段部壁１９６が、レセプタクル本体の端面１５８と接触する連続面を形成する。
【００４２】
キャップ１４８Ａはまた、プラスチックから形成することができる。本実施例では、過度の力を必要とせずにキャップの開放端を手でレセプタクル本体の上に配置することができるように、材料は好ましくはわずかに可撓性であるキャップを提供する。材料の例は、キャップ１４８を作るのに使用され得る構造用プラスチックより一般に柔らかいゴム、ゴム状物質、及び他のエラストマー材料を含む。材料例は、ニトリルゴム、テフロン（登録商標）、シリコーン、又はフルオロシリコーン、ヴァイトン（Ｖｉｔｏｎ）（登録商標）、カルレッツ（Ｋａｌｒｅｚ）（登録商標）、サントプレーン（Ｓａｎｔｏｐｒｅｎｅ）、可塑性エラストマー（ＴＰＥ）、又は具体的な用途により決定される他の条件を満たす材料を含むことができる。
【００４３】
図２３〜３０のファスナ・レセプタクルの外部形状の他の実施例では、レセプタクル２００は、上記の取り付け要素１３６と実質的に同一の取り付け要素２０４によって支持される本体２０２含む。本体２０２は、取り付け要素２０４から離れて上方へ延び、取り付け要素より上に実質的に直円筒形である外壁面を有する。外壁は、端面２０６で終端する。端面は、より完全に後述するレセプタクルの内部への第２の開口部２０８を画定するのを助ける。
【００４４】
レセプタクル２００は、レセプタクル本体２０２と取り付け要素２０４との間に補強材を含む。本実施例での補強材は、レセプタクル本体２０２のそれぞれの部品から取り付け要素２０４まで延びる複数の壁２１０である。壁の各々は、側面図で実質的に三角形である。壁は、取り付け要素２０４から上方へ少なくとも部分的に端面２０６まで延びる接点の領域に沿って、レセプタクル本体２０２を支持する。図２３〜２８に示される実施例では、壁は、レセプタクル本体の高さのほぼ半分、取り付け要素から上方へ延びる。各壁は、始点を過ぎて長手方向の位置でのレセプタクル本体との係合の地点から、ほとんど対応する小穴の開口部２１２の中央まで、取り付け要素２０４のそれぞれの縁と実質的に隣接して平行に延びる。各壁は、ほぼレセプタクル本体の接線に延びる。また、クロスピン１１４のための凹部がレセプタクル本体の内部に設置されるのと同じ領域で、壁２１０がレセプタクル本体２０２と係合することも、以下で分かるだろう。図面に示すように、各壁の自由な側面が、実質的に一直線であり、レセプタクルの他の部分と接触しない各壁のその部分の厚さは、実質的に一定である。また、図面に示すように、レセプタクル２００の本構成は、１対が取り付け要素２０４の各延長部上にある、２対の壁を含む。各対は、適切なサイズのファスナがそれぞれの小穴２１２を通して容易に収容されることができるように構成される。
【００４５】
図２３〜２８に示されるレセプタクルはまた、図３１及び３２に示されるようなキャップを含み得る。図３１に示すように、キャップ２１４は、図２３〜２９に示されるようなレセプタクル本体の内側と係合するように構成される。キャップは、曲線状の縁２１８を有する、平面図で実質的に円形の比較的平坦なディスク２１６を含む。曲線状の縁は、比較的平坦な側壁２２０で終端し、レセプタクル本体の外向きの端面２０６と接触するカバー壁２２２を形成する。キャップ２１４は、キャップ２１４の下面に対して実質的に垂直に延びる複数の係合要素２２４を含む。係合要素２２４は、レセプタクル本体上の所定の位置にキャップを保持するのを助けるために、レセプタクル本体２０２の内側の相補的な面と係合する。係合要素２２４は、キャップの周囲に比較的均一に分配され、それらの間にある空きによって分離されている。各係合要素２２４は、カバー壁２２２、半径方向外向きの壁２２８、及び係合壁２３０によって一側面が画定されたそれぞれの溝２２６を含む。各係合要素２２４は、外側壁２３４と下側壁２３６との間に傾斜面２３２を含む。
【００４６】
他の構成では、キャップ２１４Ａ（図３２）がまた、曲線状の縁２１８を有する、実質的に平面図で円形の、比較的平坦なディスク２１６を有する。曲線状の縁は、比較的平坦な側壁２２０で終端し、レセプタクル本体の外向きの端面２０６と接触するカバー壁２２２を形成する。キャップ２１４Ａは、キャップ２１４Ａの下面に対して実質的に垂直に延びる連続係合要素２２４Ａを含む。係合要素は、レセプタクル本体上の所定の位置にキャップを保持するのを助けるために、レセプタクル本体２０２の内側の相補的な面と係合する。係合要素２２４Ａは、カバー壁２２２、半径方向外向きの壁２２８Ａ、及び係合壁２３０Ａによって一側面が画定された溝２２６Ａを含む。係合要素２２４Ａは、外側壁２３４Ａと下側壁２３６Ａとの間に傾斜面２３２Ａを含む。
【００４７】
キャップ２１４は、例えばトーロン（ＴＯＲＬＯＮ）（登録商標）のような構造用プラスチック、又は他の類似のプラスチック、又は軟質プラスチックなどを含むプラスチックから形成されることができる。キャップ１４８と同様に、他の材料を使用してもよい。キャップ１４８Ａと同様に、キャップ２１４Ａもまたプラスチックから形成することができる。過剰な力を必要とすることなくキャップの開放端をレセプタクル本体上に手で配置することができるように、キャップは好ましくはわずかに可撓性である。材料の例は、キャップ２１４を作るのに使用され得る構造用プラスチックより一般に柔らかいゴム、ゴム状物質、及び他の材料を含む。
【００４８】
キャップ２１４及び２１４Ａは、レセプタクル本体２０２の第２の開口部２０８を覆い、係合要素は本体の内側にある相補的な面と係合する。レセプタクル本体２０２の端面２０６は、実質的に円形であり、内側へ湾曲する傾斜面２３８（図２５〜２７Ａ）と共に円形の第２の開口部２０８を画定するのを助ける。傾斜面２３８は、半径方向に外側に延びる係合壁２４０で終端し、係合壁２４０は、キャップの係合要素２２４／２２４Ａを受け入れる係合溝２４２の１つの壁を画定する。係合溝２４２は、レセプタクル本体２０２の外面と反対側の内側面にある底壁２４４と、係合壁２４０と実質的に向かい側の側壁２４６とを有する。溝２４２及び傾斜面２３８は、レセプタクル本体の内側壁に形成される。それらは実質的に円形であり、相補的なキャップ２１４及び２１４Ａのいずれかを受け入れて保持する。これらのキャップは、ファスナ組立体の内部を破片及び液跳ね又は液体浸漬から保護するのに役立つ。
【００４９】
図示されていない他の実施例では、キャップは、ねじ式に取り付けられ、押し回して取り付けられ且つ場合により取り外され、又はポンと取り付けられ且つ場合により取り外される。レセプタクル１１６は、これらの代替方法のキャップを取り付けるために、対応する特徴を有するだろう。これらの代替物は、ファスナ組立体１００がアプリケーション内に固定されるときに有用であるかもしれない。端面１５８によって画定される開口部に接近することによってレセプタクル１１６及びスタッド組立体１０６を点検又は検査する能力及び必要がある。
【００５０】
軸方向に延びる壁２４８（図２７Ａ）は、第２の開口部２０８とレセプタクル本体の内部構造体との間に更に詳細に後述する穴を画定する。穴は、好ましくは実質的に円形であり、傾斜面２３８の内側とほぼ同じ内径を有する。壁２４８は、内側へ湾曲する端壁２５０で終端する。端壁２５０は、スタッド組立体のクロスピンを受け入れる凹部のために、軸方向に内部支持構造体（更に詳細に後述する）の端部を形成する。
【００５１】
本明細書に記載されているファスナ・レセプタクルの実施例では、レセプタクル１００及び２００の内部は、キャップ２１４／２１４Ａを受け入れて保持するための構造体を除いて、実質的に同一である。レセプタクル本体用の内部構造体の説明において、構造体は、図１〜２１を参照して説明されている。しかしながら、図２３〜３２を参照して説明されているレセプタクルの実施例は、レセプタクル１００と同じ内部構造体を有し、同じ方法でファスナスタッド組立体を受け入れて保持することが理解されよう。レセプタクル１００と２００との間で内部構造体が異なることができるが、同じ内部構造体を有するこれらのレセプタクル構造は、本明細書に記載されているスタッド組立体を受け入れるのに適している。
【００５２】
レセプタクル１００は、ファスナ・レセプタクル内にスタッド組立体の部分を案内し、受け入れ、保持するための内部構造体を含む。内部構造体は、第１の開口部２５２と先に紹介された第２の開口部１６０との間でレセプタクル本体１３４に対して内側に形成される。
【００５３】
第１の開口部２５２は、レセプタクル本体の第１の端部２５６から軸１５２に沿って軸方向に延びる内側湾曲壁２５４（例えば、図１６及び図１６Ａ参照）によって定められる。第１の端部２５６は、取り付け要素１３６の隣接部に対して内側にある。湾曲壁２５４の内径（又は非円形の内部の場合、断面の面積）は、開口部２５２からレセプタクル本体１３４の内面を形成する内側直円筒形壁２５８へと徐々に減少する。湾曲壁２５４及び円筒形壁２５８は、レセプタクル本体にファスナスタッド組立体のシャンク及びクロスピンを案内する。レセプタクル本体は取り付け要素１３６の円形の又は他の形状の開口部の内側に配置されるとみなすことができる点に留意されたい。レセプタクル本体及び取り付け要素の組合せはまた、取り付け要素より上にレセプタクル本体を有し、湾曲面２５４は取り付け要素１３６内に形成されていると考えることができる。他の組合せもまた可能である。
【００５４】
レセプタクル本体１３４は、本体（図１６）の内側円筒形壁２５８にある第１のカム面構造体２６０を含む。通常は、レセプタクル本体は、第１及び第２のカム面構造体２６０及び２６２を有し、各構造体は内側円筒形壁２５８の一部に形成され、さもなければ内側円筒形壁２５８の一部で構成されている。第１のカム面構造体２６０の各位置は、第２のカム面構造体２６２上の正反対の同じ位置であるとわかる。従って、第１及び第２のカム面構造体は、軸１５２に関して対称形である。以下に、第１のカム面構造体２６０のみを詳細に説明する。
【００５５】
第１のカム面構造体２６０は、第１及び第２のカム面２６４及び２６６を含む。図１６及び図１６Ａが図１５の線１６−１６に沿った断面の方向に基づいて第２のカム面構造体２６２のための第１のカム面２６４Ａを示す点に留意する必要がある。第１及び第２のカム面２６４及び２６６は、内側円筒形壁２５８とわずかに鈍角を形成する接合縁２６８から始まり、先に紹介したように、カム面が接線に沿ってクロスピンと一致すると（図１７Ａ及び図２１）、このように第１のカム構造体２６０のための第１の開口部２５２へ最も近いアプローチを形成する。第１及び第２のカム面２６４及び２６６は、第１の開口部２５２から離れて第２の開口部１６０に向かって上方へ且つ内側円筒形壁２５８に関して分岐する。本実施例では、カム面２６４及び２６６は、縁２６８で始まって第１の支持構造体２７０との交点で終わる一定の変化率又は傾斜で盛り上がる。いかなる所定の位置でも、各カム面は、内側円筒形壁２５８に対して実質的に直角か又はわずかに鈍角で形成される。また、いかなる所定の位置でも、各カム面の幅は、接合点２６８から、接合点２６８から最も遠いそれぞれのカム面のほとんど端部まで、補強に関して以下に記載される以外は、実質的に一定である。一定でないように変化率又は傾斜を変化させること、又はカム構造体２６０及び２６２を完全に取り外すこと（変化率又は盛り上がりゼロ）を含む他のカムの構成が可能である。これらの代替物は、特定の用途のために望ましい場合がある。
【００５６】
カム面構造体２６０は、レセプタクル本体の内側円筒形壁２５８に沿って、軸方向に延びる。カム面構造体２６０は、本構成（図２１参照）では、軸１５２に対して約１５０度の角度で延びる。この角度を増減し得る他の構成が可能である。また、カム面構造体２６０は、更に詳細に後述する第１の支持構造体２７０まで軸方向に延びる。第１の支持構造体は、ファスナスタッド組立体のシャンク及びクロスピンを保持領域まで案内し、ファスナスタッド組立体をそれが取り外されるまでレセプタクル内に保持する。第１の支持構造体２７０は、スタッドのクロスピンを受け入れるためのボス、係合要素又は係合部、或いはファスナスタッド組立体を所定の位置に受け入れて保持するための他の構造体であることができる。本実施例では、カム面構造体２６０は、第１の支持構造体２７０と、構造体２７０の第１の角度付き端縁２７４から第２の角度付き端縁２７６（図１５、図１７Ａ及び図１９Ａ）までのある範囲に渡って交わる。従って、本実施例では、カム面構造体２６０は、第１の支持構造体２７０の隣接端と同じ場所で終端する。
【００５７】
第１及び第２のカム面構造体２６０及び２６２と同様に、第１及び第２の支持構造体２７０及び２７２は、それぞれ、第１の支持構造体２７０が第２の支持構造体２７２と正反対に同一の点を有する程度まで互いに一致する。従って、第１及び第２の支持構造体は、軸１５２に関して対称形である。カム面構造体と第１及び第２の支持構造体の対称性は、ファスナスタッドシャンク１０８及びクロスピン１１４の軸方向対称性に起因する。この対称性により、ファスナスタッド組立体を、クロスピン１１４の角度方向に関係なく、レセプタクルと組み合わせることができる。以下に、第１の支持構造体２７０のみを詳細に説明する。
【００５８】
第１及び第２の支持構造体２７０及び２７２は、レセプタクル本体の内側にあるそれぞれの壁から中央軸線１５２に向かって内側へ延びる。各々は最内側面まで内側に向かって延び、第１及び第２の支持構造体２７０及び２７２（図１５及び図２１）の間に非円形通路２７８を形成するように、レセプタクル本体の中間円筒形壁と結合する。詳細には、第１の支持構造体２７０は、レセプタクル本体の隣接部分から、第１及び第２の弦面２８０及び２８２（図１５）まで内側へ延びる。第１及び第２の弦面２８０及び２８２は、レセプタクル本体の円筒形壁によって定められる円の弦に沿って延びる平面内において、互いに実質的に平行である。第１及び第２の弦面２８０及び２８２は、内側円筒形壁の隣接面からそれらを接続するアーチ形壁２８４まで内側に向かって延びる。アーチ形壁２８４及び第２の支持構造体２７２上の対応するアーチ形壁２８４Ａは、中央軸線１５２を中心とする円の一部を画定する。この円の直径は、スタッド組立体のシャンク１０８が第１及び第２の支持構造体の間を通過することを可能にするべく、シャンクの直径より十分に大きい。非円形通路２７８は、スタッド組立体のシャンク部分が第１の開口部２５２を通って、第１及び第２の支持構造体の間を自由に通過することを可能にする。
【００５９】
第１及び第２の支持構造体２７０及び２７２は、カム面構造体を越えて片持ち式に支持されているので、それらは破壊を生じ得る応力を受けることがある。破壊の可能性を低下させるために、内部構造体２８６（図１６〜１９Ａ）が含まれる。図面に示すように、内部構造体２８６は、第１の支持構造体２７０の下面２８８（図１６A及び１８A）に隣接し又はその一部であり、部分的に第１の支持構造体２７０の下面と接触して半径方向内側に延びる。また、内部構造体２８６は、カム面構造体２６０の内側部と隣接し又はその一部であり、内側部は２９０（図１８）で示されている。図面に示すように、内部構造体２８６は、部分的に第１の支持構造体２７０とカム面２６２との間に延びる。図１６〜１９に示される構成では、内部構造体２８６は、カム面構造体２６０と第１の支持構造体２７０との間で、カム面２６２の半径方向最内側位置の半径方向内側に配置される付加的な構造体である。図面において、内部構造体２８６は、カム面構造体２６０と第１の支持構造体２７０との間を接続し又はそれらの間に延びることが分かる。内部構造体２８６は、カム面構造体２６０のかなりの部分に隣接し、また第１の支持構造体２７０のかなりの部分である。言い換えれば、カム面２６２は、レセプタクル本体の内部又は内側円筒壁２５８から、中心軸１５２から所定の半径方向の距離まで内側に延びる。内部構造体２８６は、中心軸１５２から所定の半径方向の距離よりも近い位置まで、中心軸１５２に向かって更に内側へに延びる。言い換えれば、内部構造体２８６は、中心軸１５２から、カム面２６２が存在する半径ｒ２（図１８Ａ）よりも短い半径ｒ１にある。また、内部構造体の半径方向の厚さは、軸方向の位置によって変化し、本実施例では下面２８８の付近で最も大きい。
【００６０】
図面において、内部構造体２８６は、下面２８８について自由な表面積又は露出する表面積を減らし、第１の支持構造体支持２７０を支持するべく下部に内部構造体を増していることが分かる。従って、下面２８８について支持されていない表面積の量は低減されている。また、内部構造体２８６は、第１の支持構造体２７０を支持し、内部構造体２８６によって提供される支持の量は、第１の支持構造体２７０に提供される支持を増大する。内部構造体２８６及び２８６Ａは、第１の支持構造体２７０のＸ１壁厚（図１６Ａ）との組み合わせで、追加された材料の領域内でクロスピンを支持する剪断領域を効果的に増大する。また、クロスピン１１４Ａ（図６）の端部からわずかに内側の領域において、追加された材料は、材料の剪断領域を効果的に２倍にし、クロスピンの面が対応する凹面３０４及び３０４Ａ（後述の凹面参照）を圧迫するＸ２によって定められる軸方向距離を延長し得る。追加された内部構造体により、ファスナ組立体１００は、追加された内部構造体２８６及び２８６Ａがない状態よりかなり大きな引張性能を有する。各クロスピン１１４に対する付加的な剪断支持の量は、内部構造体２８６及び２８６Ａの湾曲内側面の変化の関数として、半径方向内側に減少する。しかしながら、減少の割合は、シャンク１０８に近いクロスピンの下の位置に比べて、クロスピンの下の半径方向外側の位置は比較的小さい。一実施例において、第１の支持構造体によって提供される剪断支持は、例えば、縁２６８から上へ向かって下面２８８までの軸方向距離の２５％ごとに約２５％、直線的に減少してもよい。他の実施例では、減少は、指数関数的であってもよく、例えば、放物線の一部の近似であってもよい。他の変形例を使用することができる。
【００６１】
図面で分かるように、露出する下面２８８の表面積の量は低減されている。下面２８８について露出する表面積が少ないほど、第１の支持構造体２７０はより多く支持されることができ、それにより第１の支持構造体２７０における破壊の可能性を低下させる。
【００６２】
内部構造体２８６は、カム面構造体の内向壁２９０及び下面２８８の対応する部分と隣接し、合併する。従って、内部構造体２８６の隣接部分は、下面２８８の壁の形状及びカム面構造体２６０の内向面２９０の壁の形状に適合する。内部構造体２８６はまた、内向面２９２を含む。面２９２は多くの形状を取ることができ、図１６〜１９に示される形状では、面２９２は中央軸線１５２に対して凹である。面２９２の曲率半径は変化してもよいし、又は一定でもよい。図１６〜１９Ａに示される実施例では、曲率半径は、国家航空宇宙規格のＮＡＳＭ５５９１の規格に記載された＃７の寸法のファスナ組立体に適用する場合のレセプタクル１１６について、約０．０８０インチ（２．０３ｍｍ）である。曲率半径は、ファスナスタッド組立体のカップ１２２（図６）を依然として収容しながら、第１の支持構造体２７０に対する支持を増大するように選択されてもよい。
【００６３】
内部構造体２８６は、第１の支持構造体２７０によって塞がれる角距離に相当する中央軸線１５２の周りの角距離にわたって第１の支持構造体２７０を支持する。例えば、図１７Ａ及び図２１に示すように、角距離は２７４から２７６まで延び、内部構造体２８６は同じ角距離にわたって延びる。内部構造体２８６の角度範囲は、必要に応じて、第１の支持構造体２７０の角度範囲より小さいか又は大きくてもよい。
【００６４】
図１６Ａ及び図１８Ａに示すように、内部構造体２８６は、凹面又は湾曲面２９２を有する部分的に三角形の断面を有する。内部構造体２８６の断面形状は、２７４から２７６までの全角度範囲にわたって実質的に同じである。しかしながら、内部構造体２８６は接合点２６８からそれぞれの対応する端部２７６、２７４（図１７Ａ及び図１９Ａ）に向かって進むので、ほぼ三角形の断面の寸法は、対応するカム面２６８が第１の支持構造体２７０に接近するにつれ減少する。ほぼ三角形の内部構造体２８６の形状は、それぞれの対応する端部２７４及び２７６の領域で、図１７Ａ及び図１９Ａに示すように変化する。詳細には、内部構造体２８６が開口部２７８に近づくにつれて、２８８のインタフェースの長さは減少する。
【００６５】
内部構造体２８６は、カム面構造体２６０及び第１の支持構造体２７０の両方と一体化されているものとして、図面に示される。内部構造体の一体化は、簡単な製造及び低コストに結びつく。しかしながら、第１の支持構造体２７０を支持するための他の手段を提供することができる。また、本実施例では、内部構造体２８６は、レセプタクルの残りの部分と同じ材料から形成される。また、内部構造体２８６は、第１の支持構造体２７０と異なる材料から形成されることができる。これは、レセプタクル１１６の他の特徴の残りのものを組み込み、第１の支持構造体２７０に付着することができる、１つ又は複数の金属又は非金属の構造体、或いはそれらの組み合わせを含み得る。これらの任意の支持方法は、インサート成形を含んでもよい。インサート成形は、キャビティ内で且つ同じキャビティ内に配置されたインサートピースの周りに成形の直前にプラスチックを注入する射出成形法である。その結果は、プラスチックによって封入されたインサートを有する単一ピースとなる。他の実施例は、より頑丈な材料を内側円筒形壁２５８及び下面２８８に示される穴に接着、スナップ嵌め、又は圧入することができる。他の実施例は、部分的に又は全体的に、第１の支持構造体２７０のためのより固い材料を使用して１つ又は複数の部分を形成するものであってもよく。その部分は、第１及び第２のカム面構造体２６０及び２６２、傾斜面３００、頂上面３０２、凹部３０４、停止壁３０６、及びカム面構造体２６０及び２６２、又はそれらのあらゆる組み合わせを含み得る。更に、これらは、レセプタクル１１６の残りのものに、インサート成形、接着、圧入、スナップ嵌めされ、又は他の手段によって貼り付けられてもよい。本実施例では、１つの材料はトーロン（ＴＯＲＬＯＮ）（登録商標）であり、他のポリアミドイミド及び他の構造用プラスチックを使用することができ、他の材料は、特に、べスペル（Ｖｅｓｐｅｌ）（登録商標）又はオーラム（Ａｕｒｕｍ）（登録商標）（ポリイミド（ＰＩ））、ウルテム（Ｕｌｔｅｍ）（登録商標）（ポリエーテルイミド（ＰＥＩ））、ビクトレックス（Ｖｉｃｔｒｅｘ）（登録商標）又はキータスパイア（Ｋｅｔａｓｐｉｒｅ）（登録商標）（ポリエーテルエーテルケトン（ＰＥＥＫ））、プリモスパイア（Ｐｒｉｍｏｓｐｉｒｅ）（登録商標）（自己補強性ポリフェニレン（ＳＲＰ））、ポリカーボネート、又はエポキシド又はフェノール系合成樹脂を含み得る。材料はまた、複合材料であることができ、繊維強化材又は他の強化材料を含んでもよい。金属又はエラストマー又はそれらのいかなる組み合わせをも含む他の材料を使用してもよいが、プラスチックは製造が比較的容易である。レセプタクル及びキャップは、より簡単な製造に役立つ所定の材料から成形することができる。
【００６６】
内側円筒壁２５８の内側の第１の支持構造体２７０の形状は、１／４回転レセプタクルにおける従来の構造体と実質的に同一である。例えば、傾斜面３００は、円弧方向に第２の開口部に向かって頂上面３０２まで延びる。頂上面３０２は、ほぼ同じ軸方向位置で凹部３０４まで平らに延びる。凹部３０４は、例えば図１７Ａに見られるように、半径方向に実質的に円形の断面を有し、実質的に軸方向に延びる停止壁３０６で終端する。停止壁３０６は、内側円筒壁２５８の周りで端部２７６まで円弧方向に延びるブロック３０８の一方の側を形成する。図１〜２２に示されるレセプタクル本体におけるブロック３０８の上端は、接面１５８（図６）と同一平面にあるが、図２３〜３０に示されるレセプタクル本体の形状では、ブロック３０８の上端は端面２０６より下で終わる。レセプタクル本体２００の形状では、実質的に円筒形の穴が、ブロック３０８の上端と溝２４２との間に延在する。
【００６７】
ファスナ・レセプタクルの他の実施例（図３３及び３４）において、ファスナ・レセプタクル４００は、本実施例ではカム面４０２及び４０４がそれぞれ対応する支持構造体２７０及びブロック３０８に向かって上方へ、平面４０６から離れて延びることを除いて、本明細書に記載されている他のファスナ・レセプタクルのいずれかと同一の構成を有することができる。平面４０６は、凹部３０４を二等分し、２つのカム面４０２及び４０４が接触する接合縁４０８を通る。この形状では、凹部３０４の一方の側の下に（平面４０６の一方の側に）、凹部３０４の反対側の下に（平面４０６の反対側に）あるのと実質的に同じ量の支持材料がある。本明細書に記載されている他の形状と比べて、接合縁４０８は、凹部３０４の底の下に配置されるように、角度方向に約２０度移動されている。
【００６８】
図３３及び３４に示される形状では、カム構造体及び内部構造体は、概ね凹部３０４の中心の下に中心がある。しかしながら、カム面４０２は、開口部４１０に到達するのにより大きな移動距離を有するので、より遅い変化率で上昇し、カム面４０４は、開口部４１０に到達するのにより小さい移動距離を有するので、より速い変化率で上昇する。また、カム構造体及び内部構造体は、カム面４０２で、カム面４０４のためのカム構造体及び内部構造体よりも大きな距離、平面４０６から離れて、開口部４１０において終端する。しかしながら、ファスナ組立体内にあるクロスピンの最外側面の下の剪断荷重に対する支持は、平面４０６のそれぞれの側にある平面に隣接する領域で実質的に同じである。
【００６９】
図１〜３２に明示される本実施例は、取り付け要素１３６について２突出部の取り付け型式として一般に定義されるレセプタクル１１６を表す。他の実施例（図３５〜３９）では、レセプタクル１１６は、本実施例の取り付け要素１３６の代わりに、代替的な取り付け型式を提供し得る。対応して、図３５は、１突出部のレセプタクル１１６Ａが、支持面にレセプタクルを取り付けるための１つの突出部５００を有することを表し、図３６は、２つの突出部５０２及び５０４を有する２突出部の平坦コーナーレセプタクル１１６Ｂを表し、図３７は、突出部５０６及び５０８（第２の突出部が実質的に第１の突出部の鏡像として配置される）を有する２突出部の鉛直平坦レセプタクル１１６Ｃを表し、図３８は、２つの鉛直の突出部５１０及び５１２を有する２突出部の鉛直コーナーレセプタクル１１６Ｄを表し、図３９は、単一の突出部５１４を有する１突出部の鉛直レセプタクル１１６Ｅを表す。レセプタクルのこれら及び他の取り付け形式の構成が可能である。しかしながら、取り付け構造のこれら及び他の型式、並びに関連する適当な１つ又は複数の取り付け要素を、本発明の要素の範囲内で達成することができることを理解すべきである。
【００７０】
使用するとき、ファスナスタッド組立体のシャンク及びクロスピンは、レセプタクルの第１の開口部に挿入される。スタッド組立体が旋回する間、各クロスピンは隣接するカム面と係合し、カム面に沿って開口部２７８に到達する。クロスピンは開口部２７８に入り、その後、ファスナスタッド組立体の反時計回りの操作により、傾斜面３００に沿って頂上面３０２までクロスピンを移動する。クロスピンは、頂上面３０２を横断し、それから停止壁３０６に衝突すると凹部３０４に入る。ばね１２４の作用により、クロスピンは凹部３０４内に付勢される。ファスナスタッド組立体は、ばね１２４を押し下げ、組立体の旋回運動を逆にすることによって取り外される。
【００７１】
このようにいくつかの例示的な実施態様を説明したが、様々な変更及び修正が本明細書で述べた思想から逸脱することなく成され得ることは明らかである。このような変更及び修正は、先に明確に記載していないが、それでもなお本発明の精神及び範囲内にあることを意図し、意味している。したがって、先の記載は、単に説明に役立つものであることを意図している。
【図１】
2010534586.tif 000003
【図２】
2010534586.tif 000004
【図３】
2010534586.tif 000005
【図４】
2010534586.tif 000006
【図５】
2010534586.tif 000007
【図６】
2010534586.tif 000008
【図７】
2010534586.tif 000009
【図８】
2010534586.tif 000010
【図９】
2010534586.tif 000011
【図１０】
2010534586.tif 000012
【図１１】
2010534586.tif 000013
【図１２】
2010534586.tif 000014
【図１３】
2010534586.tif 000015
【図１４】
2010534586.tif 000016
【図１５】
2010534586.tif 000017
【図１５Ａ】
2010534586.tif 000018
【図１５Ｂ】
2010534586.tif 000019
【図１６−１６Ａ】
2010534586.tif 000020
【図１７−１７Ａ】
2010534586.tif 000021
【図１８】
2010534586.tif 000022
【図１８Ａ】
2010534586.tif 000023
【図１９】
2010534586.tif 000024
【図１９Ａ】
2010534586.tif 000025
【図２０】
2010534586.tif 000026
【図２１】
2010534586.tif 000027
【図２２】
2010534586.tif 000028
【図２３】
2010534586.tif 000029
【図２４】
2010534586.tif 000030
【図２５】
2010534586.tif 000031
【図２６】
2010534586.tif 000032
【図２７】
2010534586.tif 000033
【図２７Ａ】
2010534586.tif 000034
【図２８】
2010534586.tif 000035
【図２９】
2010534586.tif 000036
【図３０】
2010534586.tif 000037
【図３１】
2010534586.tif 000038
【図３２】
2010534586.tif 000039
【図３３】
2010534586.tif 000040
【図３４】
2010534586.tif 000041
【図３５】
2010534586.tif 000042
【図３６】
2010534586.tif 000043
【図３７】
2010534586.tif 000044
【図３８】
2010534586.tif 000045
【図３９】
2010534586.tif 000046
【国際調査報告】
2010534586.tif 000047